(57)【特許請求の範囲】
【請求項１】
本体装置のフレーム間に回転可能に支持される円筒形の感光体ドラムに対向して配置される書込みヘッドの位置を調整する書込みヘッド調整装置において、
感光体ドラムに略平行に配置される支持軸と、
書込みヘッドを保持し、前記支持軸に支持される枠部材と、
前記本体装置のフレーム側に設けられ、前記支持軸を中心として枠部材をねじり回転させることによって、枠部材に保持される書込みヘッドの感光体ドラムに対する走査傾きを調整する調整手段とを備えることを特徴とする書込みヘッド調整装置。
【請求項２】
本体装置のフレーム間に回転可能に支持される円筒形の感光体ドラムに対向して配置される書込みヘッドの位置を調整する書込みヘッド調整装置において、
感光体ドラムに略平行に配置される支持軸と、
前記支持軸に沿って移動し、感光体ドラムの軸線に略平行に移動する移動部材と、
前記支持軸に支持される枠部材と、
書込みヘッドの両端部に設けられ、前記移動部材および枠部材に当接する当接部材と、
前記当接部材を移動部材側および枠部材側に付勢する弾発性部材と、
前記本体装置のフレーム側に設けられ、前記移動部材を移動させて書込みヘッドと感光体ドラムとの距離を調整する第１調整手段と、
前記支持軸を中心として枠部材をねじり回転させることによって、枠部材に保持される書込みヘッドの感光体ドラムに対する走査傾きを調整する第２調整手段とを備えることを特徴とする書込みヘッド調整装置。
【請求項３】
前記移動部材および当接部材の少なくともいずれか一方は、感光体ドラムの軸線方向に傾斜する傾斜面を有し、当接部材は傾斜面に案内されて移動することで書込みヘッドと感光体ドラムとの距離を調整することを特徴とする請求項２記載の書込みヘッド調整装置。
【請求項４】
前記移動部材は、書込みヘッドの両端部に設けられる当接部材の両方に対して設けられることを特徴とする請求項２または３記載の書込みヘッド調整装置。
【請求項５】
前記移動部材は、本体装置のフレーム側に突出する突出片を備え、
前記枠部材は、前記突出片との位置関係によって書込みヘッドと感光体ドラムとの位置関係を確認するための開口部を備えることを特徴とする請求項２記載の書込みヘッド調整装置。
【請求項６】
前記感光体ドラムの軸線方向をＸ軸方向とし、前記Ｘ軸方向に垂直で感光体ドラムの軸線から移動部材に向かう方向をＹ軸方向とし、前記Ｘ軸方向およびＹ軸方向に垂直な方向をＺ軸方向とする場合に、
前記弾発性部材は、書込みヘッドの一端部に設けられる第１当接部材のＹ軸方向一端部を移動部材に対してＹ軸方向に付勢し、Ｙ軸方向他端部を枠部材に対してＺ軸方向に付勢し、書込みヘッドの他端部に設けられる第２当接部材のＹ軸方向一端部を移動部材に対してＹ軸方向およびＺ軸方向に付勢し、Ｙ軸方向他端部を枠部材に対してＸ軸方向およびＺ軸方向に付勢することで書込みヘッドの位置決めが行われることを特徴とする請求項２記載の書込みヘッド調整装置。
【請求項７】
前記移動部材は、第２当接部材のＹ軸方向一端部が当接する凹部を有し、
前記凹部の底部はＸ軸方向に傾斜する傾斜面とし、前記凹部の底部および側面に前記当接部材が当接するように弾発性部材によって付勢することで、書込みヘッドのＹ軸方向およびＺ軸方向の位置決めが行われることを特徴とする請求項６記載の書込みヘッド調整装置。
【請求項８】
前記枠部材は、第２当接部材のＹ軸方向他端部が係止する係止部を有し、
前記係止部にはＺ軸方向に先端部を有する楔形の切り込みが形成され、切り込み底部の２箇所に第２当接部材が当接するように弾発性部材によって付勢することで、書込みヘッドのＸ軸方向およびＺ軸方向の位置決めが行われることを特徴とする請求項６記載の書込みヘッド調整装置。
【請求項９】
前記凹部の底部には、Ｚ軸方向に傾斜する第２の傾斜面が形成され、前記凹部はＸ軸に垂直な断面形状が楔形状であることを特徴とする請求項７記載の書込みヘッド調整装置。
【請求項１０】
前記枠部材は、書込みヘッドよりも剛性が低いことを特徴とする請求項１または２記載の書込みヘッド調整装置。
【請求項１１】
請求項１または２記載の書込みヘッド調整装置を備え、フレーム間に回転可能に支持される円筒形状の感光体ドラムに、書込みヘッド調整装置に保持される書込みヘッドによって静電潜像を形成し、形成された静電潜像をトナーによって現像し、現像した画像を記録部材に転写して画像形成物を得ることを特徴とする画像形成装置。
【請求項１２】
前記書込みヘッド調整装置は書込みヘッドとともに１つのユニットとしてフレームに着脱自在に構成され、前記ユニットのフレームに対しての位置決めは、フレームの一方側部に設けられる切欠きと、他方側部に設けられる孔によって行われることを特徴とする請求項１１記載の画像形成装置。
【請求項１３】
請求項１または２記載の書込みヘッド調整装置を備え、フレーム間に回転可能に支持される円筒形状の感光体ドラムに、書込みヘッド調整装置に保持される書込みヘッドによって静電潜像を形成し、形成された静電潜像をトナーによって現像し、現像した画像を記録部材に転写して画像形成物を得る画像形成装置であって、
前記書込みヘッド調整装置は書込みヘッドとともに１つのユニットとしてフレームに着脱自在に構成され、前記ユニットのフレームに対しての位置決めは、フレームの一方側部に設けられる切欠きに支持軸の一方側を当接し、他方側部に設けられる孔に支持軸の他方側を挿通することで、前記ユニットの位置決めを行うことを特徴とする画像形成装置。
【請求項１４】
請求項１または２記載の書込みヘッド調整装置を備え、フレーム間に回転可能に支持される円筒形状の感光体ドラムに、書込みヘッド調整装置に保持される書込みヘッドによって静電潜像を形成し、形成された静電潜像をトナーによって現像し、現像した画像を記録部材に転写して画像形成物を得る画像形成装置であって、
枠部材の一端部に調整手段が配置され、フレームの一方側部に枠部材の一端部が支持軸を中心として回動自在に支持され、フレームの他方側部に枠部材の他端部が固定され、調整手段によって支持軸を中心に枠部材の一端部をねじり回転させることによって、枠部材に保持される書込みヘッドの感光体ドラムに対する走査傾きを調整することを特徴とする画像形成装置。
【発明の詳細な説明】
【０００１】
【発明の属する技術分野】
本発明は、たとえばディジタル複合機、プリンタ、およびファクシミリなどの画像形成装置に用いられる書込みユニットに関し、特に、書込みヘッドと感光体ドラムとの間隔および書込みヘッドの感光体ドラムの走査方向に対する傾きを調整する書込みヘッド調整装置およびそれを備える画像形成装置に関する。
【０００２】
【従来の技術】
電子写真方式の画像形成装置、たとえばディジタル複合機、プリンタおよびファクシミリなどに用いられる書込みヘッド、たとえばＬＥＤ（Light Emitting
Diode）ヘッドなどは、感光体ドラムに対して所定の間隔で位置決めされて取り付けられる。
【０００３】
しかしながら、書込みヘッドと感光体ドラムとの距離が同一となるように組み立てることは非常に困難であり、組み立て時にばらつきが生じてしまう。したがって、組み立てた後で装置毎に書込みヘッドの位置を調整する必要がある。
【０００４】
このような問題に鑑み、ＬＥＤヘッドの下部を開放可能なクラムシェル方式の画像形成装置が知られている。クラムシェル方式の画像形成装置では、書込みヘッドと感光体ドラムとを所定の距離に位置決めするときに、ＬＥＤヘッドの下部を開放することができるので、書込みヘッドの取り付け位置を調整することができる。
【０００５】
また、特開平５−２７８２６６号公報に書込みヘッドと感光体ドラムとの距離を調整可能なプリンタ装置が開示されている。特開平５−２７８２２６６号公報に開示される従来技術は、ＬＥＤヘッドが取り付けられる一のフレームを本体フレームの上方に開放可能に構成し、本体装置の上方からＬＥＤヘッドと感光体ドラムとの距離を調整することができる。
【０００６】
【発明が解決しようとする課題】
しかしながら、ＬＥＤヘッドの下部の開放が可能なクラムシェル方式を採用できない構造の画像形成装置、および小型化のために空きスペースを設けることができない構造の画像形成装置の場合、一旦装置を組み立ててしまうと書込みヘッドの位置を調整する箇所に調整工具などが挿入できない。したがって、ＬＥＤヘッドの位置の調整を行うために装置を分解する必要があり、調整に手間がかかるといった問題がある。
【０００７】
また、特開平５−２７８２６６号公報の従来技術に開示されるプリンタ装置では、ＬＥＤヘッドの上方からＬＥＤヘッドの位置の調整を行うので、ＬＥＤヘッドの上方にプリンタ装置の構成部材がある場合には、プリンタ装置を分解する必要がある。また、ＬＥＤヘッドと感光体ドラムとの距離を調整することは可能であるが、ＬＥＤヘッドの感光体ドラムに対する走査傾きを調整することはできない。
【０００８】
また、書込みヘッドの調整はテスト印字を行いその印刷結果に基づいて行われるので、できるだけすぐに印刷可能な状態でＬＥＤヘッドの調整作業を行うことができる画像形成装置が望まれている。
【０００９】
本発明の目的は、本体装置の側部から書込みヘッドと感光体ドラムとの距離および書込みヘッドの感光体ドラムに対する走査傾きの少なくともいずれか一方を調整可能な書込みヘッド調整装置およびそれを備える画像形成装置を提供することである。
【００１２】
【課題を解決するための手段】
本発明は、本体装置のフレーム間に回転可能に支持される円筒形の感光体ドラムに対向して配置される書込みヘッドの位置を調整する書込みヘッド調整装置において、
感光体ドラムに略平行に配置される支持軸と、
書込みヘッドを保持し、前記支持軸に支持される枠部材と、
前記本体装置のフレーム側に設けられ、前記支持軸を中心として枠部材をねじり回転させることによって、枠部材に保持される書込みヘッドの感光体ドラムに対する走査傾きを調整する調整手段とを備えることを特徴とする書込みヘッド調整装置である。
【００１３】
本発明に従えば、支持軸は感光体ドラムに略平行に配置され、この支持軸は書込みヘッドを保持する枠部材を支持する。円筒形の感光体ドラムが回転可能に支持される本体装置のフレーム側に設けられる調整手段は、支持軸を中心として枠部材をねじり回転させることができ、これによって、枠部材に保持される書込みヘッドの感光体ドラムに対する走査傾きを調整することができる。したがって、本体装置の側部から書込みヘッドの感光体ドラムに対する走査傾きを調整することができる。なお、走査傾きの調整とは、書込みヘッドの長手方向を感光体ドラムの回転軸線を中心とする円筒形状の面内で感光体ドラムの軸線方向と平行にすることである。
【００１４】
また本発明は、本体装置のフレーム間に回転可能に支持される円筒形の感光体ドラムに対向して配置される書込みヘッドの位置を調整する書込みヘッド調整装置において、
感光体ドラムに略平行に配置される支持軸と、
前記支持軸に沿って移動し、感光体ドラムの軸線に略平行に移動する移動部材と、
前記支持軸に支持される枠部材と
書込みヘッドの両端部に設けられ、前記移動部材および枠部材に当接する当接部材と、
前記当接部材を移動部材側および枠部材側に付勢する弾発性部材と、
前記本体装置のフレーム側に設けられ、前記移動部材を移動させて書込みヘッドと感光体ドラムとの距離を調整する第１調整手段と、
前記支持軸を中心として枠部材をねじり回転させることによって枠部材に保持される書込みヘッドの感光体ドラムに対する走査傾きを調整する第２調整手段とを備えることを特徴とする書込みヘッド調整装置である。
【００１５】
本発明に従えば、支持軸は感光体ドラムに略平行に配置され、支持軸は書込みヘッドを保持する枠部材を支持する。円筒形の感光体ドラムが回転可能に支持される本体装置のフレーム側に設けられる第１調整手段によって、移動部材を支持軸に沿って移動させ、感光体ドラムの軸線に略平行に移動させることができる。書込みヘッドの両端部に設けられる移動部材および枠部材には当接部材が当接し、当接部材は弾発性部材によって移動部材側および枠部材側に付勢されている。移動部材の感光体ドラムの軸線方向への移動に伴って、当接部材を感光体ドラムに向かう方向、または感光体ドラムから離反する方向に移動させることで、書込みヘッドと感光体ドラムとの間の距離を調整することができる。また、本体装置のフレーム側に設けられる第２調整手段は、支持軸を中心として枠部材をねじり回転させることができ、これによって、枠部材に保持される書込みヘッドの感光体ドラムに対する走査傾きを調整することができる。したがって、本体装置の側部から書込みヘッドと感光体ドラムとの距離と、書込みヘッドの感光体ドラムに対する走査傾きとを調整することができる。
【００１６】
また本発明は、前記移動部材および当接部材の少なくともいずれか一方は、感光体ドラムの軸線方向に傾斜する傾斜面を有し、当接部材は傾斜面に案内されて移動することで書込みヘッドと感光体ドラムとの距離を調整することを特徴とする。
【００１７】
本発明に従えば、移動部材および当接部材の少なくともいずれか一方は、感光体ドラムの軸線方向に傾斜する傾斜面を有する。したがって、移動部材を感光体ドラムの軸線方向に移動させることで傾斜面に沿って当接部材を感光体ドラムに向かう方向、または感光体ドラムから離反する方向に案内することができる。つまり、感光体ドラムの軸線に略平行に移動部材を移動させることで、感光体ドラムの軸線方向に垂直な方向に当接部材を移動させることができ、書込みヘッドと感光体ドラムとの間の距離を調整することができる。
【００１８】
また本発明は、前記移動部材は、書込みヘッドの両端部に設けられる当接部材の両方に対して設けられることを特徴とする。
【００１９】
本発明に従えば、移動部材は書込みヘッドの両端部に設けられる当接部材の両方に対して設けられるので、書込みヘッドの両端部において個別に感光体ドラムとの距離を調整することができる。したがって、感光体ドラムの軸線方向に沿って書込みヘッドと感光体ドラムとの間の距離を精度が高く、また容易に調整することができる。
【００２０】
また本発明は、前記移動部材は、本体装置のフレーム側に突出する突出片を備え、
前記枠部材は、前記突出片との位置関係によって書込みヘッドと感光体ドラムとの位置関係を確認するための開口部を備えることを特徴とする。
【００２１】
本発明に従えば、移動部材には本体装置のフレーム側に突出する突出片が設けられ、枠部材には前記突出片が突出可能な開口部が設けられる。調整手段によって移動部材を移動させて書込みヘッドと感光体ドラムとの間の距離を調整するときに、移動部材が移動することによって突出片が移動するので、開口部と突出片との位置関係によって、書込みヘッドと感光体ドラムとの位置関係を確認することができる。
【００２２】
また本発明は、前記感光体ドラムの軸線方向をＸ軸方向とし、前記Ｘ軸方向に垂直で感光体ドラムの軸線から移動部材に向かう方向をＹ軸方向とし、前記Ｘ軸方向およびＹ軸方向に垂直な方向をＺ軸方向とする場合に、
前記弾発性部材は、書込みヘッドの一端部に設けられる第１当接部材のＹ軸方向一端部を移動部材に対してＹ軸方向に付勢し、Ｙ軸方向他端部を枠部材に対してＺ軸方向に付勢し、書込みヘッドの他端部に設けられる第２当接部材のＹ軸方向一端部を移動部材に対してＹ軸方向およびＺ軸方向に付勢し、Ｙ軸方向他端部を枠部材に対してＸ軸方向およびＺ軸方向に付勢することで書込みヘッドの位置決めが行われることを特徴とする。
【００２３】
本発明に従えば、書込みヘッドの一端部をＹ軸方向およびＺ軸方向に位置決めし、他端部をＸ軸方向、Ｙ軸方向およびＺ軸方向に位置決めすることができ、書込みヘッドをＸ軸方向、Ｙ軸方向およびＺ軸方向の全ての方向に位置決めすることができる。また、第１移動部材のＹ軸方向一端部および他端部、第２移動部材のＹ軸方向一端部および他端部のそれぞれを個別にＸ軸方向、Ｙ軸方方向、およびＺ軸方向に位置決めしないので、支持軸を中心として枠部材をねじり回転させたときに書込みヘッドのねじれを防止することができる。
【００２４】
また本発明は、前記移動部材は、第２当接部材のＹ軸方向一端部が当接する凹部を有し、
前記凹部の底部はＸ軸方向に傾斜する傾斜面とし、前記凹部の底部および側面に前記当接部材が当接するように弾発性部材によって付勢することで、書込みヘッドのＹ軸方向およびＺ軸方向の位置決めが行われることを特徴とする。
【００２５】
本発明に従えば、移動部材は第２当接部材のＹ軸方向一端部が当接する凹部を有する。凹部の底部をＸ軸方向に傾斜する傾斜面として、凹部の底部および凹部の側面に第２当接部材が当接するように弾発性部材によって付勢することで１方向の付勢力によってＹ軸方向およびＺ軸方向の位置決めを行うことができる。
【００２６】
また本発明は、前記枠部材は、第２当接部材のＹ軸方向他端部が係止する係止部を有し、
前記係止部にはＺ軸方向に先端部を有する楔形の切り込みが形成され、切り込み底部の２箇所に第２当接部材が当接するように弾発性部材によって付勢することで、書込みヘッドのＸ軸方向およびＺ軸方向の位置決めが行われることを特徴とする。
【００２７】
本発明に従えば、枠部材は第２当接部材のＹ軸方向他端部が係止される係止部を有する。係止部にはＺ軸方向に先端部を有する楔形の切り込みが形成される。この切り込みの底部の２箇所に第１当接部材が当接するように弾発性部材によって付勢することで、１方向の付勢力によってＸ軸方向およびＺ軸方向の位置決めを行うことができる。
【００２８】
また本発明は、前記凹部の底部には、Ｚ軸方向に傾斜する第２の傾斜面が形成され、前記凹部はＸ軸に垂直な断面形状が楔形状であることを特徴とする。
【００２９】
本発明に従えば、前記凹部の底部には、Ｚ軸方向で感光体ドラムに向かう方向に傾斜する第２の傾斜面が形成される。第１当接部材は、凹部の底部に形成された第２の傾斜面に当接することで、凹部の側面に当接しやすくなり、１方向の付勢によって第１の当接部材のＹ軸方向およびＺ軸方向の位置決めを確実に行うことができる。
【００３０】
また本発明は、前記枠部材は、書込みヘッドよりも剛性が低いことを特徴とする。
【００３１】
本発明に従えば、枠部材は書込みヘッドよりも剛性が低いので、枠部材をねじり回転させて、枠部材に支持された書込みヘッドを移動させ、書込みヘッドの感光体ドラムに対する走査傾きを調整することができる。また、枠部材をねじり回転させ変形させたときに、書込みヘッドがねじれて変形することを防止できる。
【００３２】
また本発明は、前記、書込みヘッド調整装置を備え、フレーム間に回転可能に支持される円筒形状の感光体ドラムに、書込みヘッド調整装置に保持される書込みヘッドによって静電潜像を形成し、形成された静電潜像をトナーによって現像し、現像した画像を記録部材に転写して画像形成物を得ることを特徴とする画像形成装置である。
【００３３】
本発明に従えば、フレーム間に回転可能に支持される円筒形状の感光体ドラムに、前記書込みヘッド調整装置に保持される書込みヘッドによって、静電潜像を形成することができる。感光体ドラムに形成された静電潜像をトナーによって現像し、記録部材に転写することによって高品質な画像を形成することができる。また、本体装置の側部から書込みヘッドの位置調整を行うことができるので、テスト印刷を実行しながらでも調整作業を行うことができる。
【００３４】
また本発明は、前記書込みヘッド調整装置は書込みヘッドとともに１つのユニットとしてフレームに着脱自在に構成され、前記ユニットのフレームに対しての位置決めは、フレームの一方側部に設けられる切欠きと、他方側部に設けられる孔によって行われることを特徴とする。
【００３５】
本発明に従えば、書込みヘッド調整装置は書込みヘッドとともに１つのユニットとして本体装置のフレームに着脱自在に構成されるので、書込みヘッドの交換では、書込みヘッド調整装置ごと本体装置のフレームから外して交換することができる。また、フレームの一方側部には切欠きが設けられ、他方側部には孔が設けれ、前記ユニットはこれらによってフレームに位置決めされるので、書込みヘッドを感光体ドラムに対して確実に位置決めすることができる。
【００３６】
また本発明は、前記、書込みヘッド調整装置を備え、フレーム間に回転可能に支持される円筒形状の感光体ドラムに、書込みヘッド調整装置に保持される書込みヘッドによって静電潜像を形成し、形成された静電潜像をトナーによって現像し、現像した画像を記録部材に転写して画像形成物を得る画像形成装置であって、
前記書込みヘッド調整装置は書込みヘッドとともに１つのユニットとしてフレームに着脱自在に構成され、前記ユニットのフレームに対しての位置決めは、フレームの一方側部に設けられる切欠きに支持軸の一方側を当接し、他方側部に設けられる孔に支持軸の他方側を挿通することで、前記ユニットの位置決めを行うことを特徴とする画像形成装置である。
【００３７】
本発明に従えば、フレーム間に回転可能に支持される円筒形状の感光体ドラムに、前記書込みヘッド調整装置に保持される書込みヘッドによって、静電潜像を形成することができる。感光体ドラムに形成された静電潜像をトナーによって現像し、記録部材に転写することによって高品質な画像を形成することができる。また、本体装置の側部から書込みヘッドの位置調整を行うことができるので、テスト印刷を実行しながらでも調整作業を行うことができる。また、書込みヘッド調整装置は書込みヘッドとともに１つのユニットとして本体装置のフレームに着脱自在に構成されるので、書込みヘッドの交換などでは、書込みヘッド調整装置ごと本体装置のフレームから外して交換することができる。また、フレームの一方側部に設けられる切欠きに支持軸の一方側を当接し、フレームの他方側に設けられる孔に支持軸の他方側を挿通することで、書込みヘッドを感光体ドラムに対して確実に位置決めすることができる。
【００３８】
また本発明は、前記、書込みヘッド調整装置を備え、フレーム間に回転可能に支持される円筒形状の感光体ドラムに、書込みヘッド調整装置に保持される書込みヘッドによって静電潜像を形成し、形成された静電潜像をトナーによって現像し、現像した画像を記録部材に転写して画像形成物を得る画像形成装置であって、
枠部材の一端部に調整手段が配置され、フレームの一方側部に枠部材の一端部が支持軸を中心として回動自在に支持され、フレームの他方側部に枠部材の他端部が固定され、調整手段によって支持軸を中心に枠部材の一端部をねじり回転させることによって、枠部材に保持される書込みヘッドの感光体ドラムに対する走査傾きを調整することを特徴とする画像形成装置である。
【００３９】
本発明に従えば、フレーム間に回転可能に支持される円筒形状の感光体ドラムに、前記書込みヘッド調整装置に保持される書込みヘッドによって、静電潜像を形成することができる。感光体ドラムに形成された静電潜像をトナーによって現像し、記録部材に転写することによって高品質な画像を形成することができる。また、本体装置の側部から書込みヘッドの位置調整を行うことができるので、テスト印刷を実行しながらでも調整作業を行うことができる。また、書込みヘッド調整装置の枠部材の一端部はフレームの一方側部に対して回動可能に設けられ、枠部材の他端部はフレームの他方側部に対して固定される。調整手段は枠部材の一方端部に配置され、支持軸を中心に枠部材をねじり回転させることによって、枠部材に保持される書込みヘッドの感光体ドラムに対する走査傾きを調整することができる。
【００４０】
【発明の実施の形態】
図１は、本発明の実施の一形態の画像形成装置であるディジタルカラー複写機（以下、複写機と略称する）１の構成を概略的に示す断面図である。
【００４１】
複写機１は、本体上部に原稿台１１１および操作パネル（図示しない）を備え、本体内部に画像読み取り部１１０および画像形成部２１０を備える。原稿載置台１１１の上面には、原稿載置台１１１に対して開閉可能に支持され、原稿載置台１１１に対して所定の位置関係をもって両面自動原稿送り装置（ＲＡＤＦ；
Reversing Automatic Document Feeder）１１２が設けられる。
【００４２】
複写機１は、カラー画像の複写が可能な電子写真方式の画像形成装置である。原稿台１１１の上に載置される原稿の画像または両面自動原稿送り装置１１２によって搬送される原稿の画像を画像読み取り部１１０で読み取り、読み取った原稿の画像を画像形成部２１０の第１〜第４画像形成ステーションＰａ，Ｐｂ，Ｐｃ，Ｐｄで記録紙１００上に再現する。第１の画像形成ステーションＰａは記録紙１００に原稿画像の黒色成分の画像を再現し、第２の画像形成ステーションＰｂは記録紙１００に原稿画像のシアン成分の画像を再現し、第３の画像形成ステーションＰｃは記録紙１００に原稿画像のマゼンタ成分の画像を再現し、第４画像形成ステーションＰｄは記録紙１００に原稿画像のイエロー成分の画像を再現する。第１〜第４の画像形成ステーションＰａ〜Ｐｄは同一の構成であるので、これらをまとめて画像形成ステーションＰとして説明する。
【００４３】
図２は、画像形成部２１０の画像形成ステーションＰの構成を拡大して示す断面図である。画像形成ステーションＰは、記録紙１００にトナー像を形成するユニットである。画像形成ステーションＰは、複写機１のフレーム間に回転可能に水平に支持される円筒形状の感光体ドラム２２２、感光体ドラム２２２を一様に帯電させる帯電器２２３、感光体ドラム２２２の表面に形成された静電潜像にトナーを付着させて現像する現像装置２２４、現像された感光体ドラム２２２の表面のトナー像を記録紙１００に転写する転写用放電器２２５、感光体ドラム２２２の表面に残留するトナーを除去するクリーニング装置２２６を含み構成される。前記帯電器２２３、２２４、転写用放電器２２５およびクリーニング装置２２６は、感光体ドラム２２２の回転方向に沿って順に配置される。また、感光体ドラム２２２と転写用放電器２２５との間には、記録紙１００を搬送する転写搬送ベルト２１６が設けられ、記録紙１００を矢符Ｚ方向に搬送する。感光体ドラム２２２は、図１および図２の紙面に垂直な方向に延びる回転軸Ｌ１を中心に矢符Ｆの方向に回転する。
【００４４】
また画像形成ステーションＰは、書込みヘッドであるＬＥＤヘッド２２７を備える。ＬＥＤヘッド２２７は感光体ドラム２２２の上方で、その長手方向が感光体ドラム２２２の軸線方向に略平行に設けられる。ＬＥＤヘッド２２７は、感光体ドラム２２２の回転方向に沿って設けられる帯電器２２３と現像装置２２４との間に配置され、帯電器２２３で帯電させた感光体ドラム２２２の表面に光を照射して静電潜像を形成する。
【００４５】
ＬＥＤヘッド２２７は、画像データに応じて変調されたドット光を発する発光ダイオードをライン状に基板上に形成して構成されるＬＥＤ基板ユニット、および前記発光ダイオードからの光を感光体ドラム２２２の表面に結像させるレンズアレイ、ＬＥＤヘッド２２７の骨格を成すベース部材を含み構成される。ベース部材は、ＬＥＤヘッド２２７の長手方向に延び、剛性の高い金属ブロックによって形成されている。また、ＬＥＤヘッド２２７は熱を発生するので、ベース部材は熱伝導性のよいアルミニウムを用いて作製される。これによって、ＬＥＤヘッド２２７の発熱を抑制することができる。また、ベース部材にアルミニウムを用いることでＬＥＤヘッド２２７は十分な剛性を得ることができ、またＬＥＤヘッドを軽量に構成することができる。また、ＬＥＤヘッド２２７の両端部には、ベース部材の両端部が突出し、ヘッド支持部２を構成する。
【００４６】
図３は、ＬＥＤヘッド２２７とこのＬＥＤヘッド２２７を保持する書込みヘッド調整装置３とによって構成される書込みユニットの斜視図である。書込みヘッド調整装置３は、ＬＥＤヘッド２２７を保持し、このＬＥＤヘッド２２７と感光体ドラム２２２との間の距離の調整およびＬＥＤヘッド２２７の感光体ドラム２２２に対する走査傾きを調整する。ここで、走査傾きの調整とは、書込みヘッドの長手方向を感光体ドラム２２２の回転軸線を中心とする円筒形状の面内で感光体ドラム２２２の軸線方向と平行にすることである。書込みヘッド調整装置３は、その長手方向両端部が、前記感光体ドラム２２２が支持される複写機１のフレームに取り付けられる。
【００４７】
図４は、書込みユニットの正面断面図である。図５（ａ）は書込みユニットの一端部を拡大して示す正面断面図であり、図５（ｂ）は書込みユニットの他端部を拡大して示す正面断面図である。図６（ａ）は図４の切断面線Ａ−Ａから見た断面図であり、図６（ｂ）は図４の切断面線Ｂ−Ｂから見た断面図である。
【００４８】
書込みヘッド調整装置３は、感光体ドラム２２２に略平行に配置される支持軸４、支持軸４に沿って移動可能に設けられ、感光体ドラム２２２の軸線に略平行に移動する移動部材５、前記支持軸４に支持される枠部材６、ＬＥＤヘッド２２７の両端部に設けられ、前記移動部材５および枠部材６に当接する当接部材７、前記当接部材７を移動部材５側および枠部材６側に付勢する弾発性部材であるスプリング８、複写機１のフレーム側、つまり枠部材６の長手方向端部に設けられ、ＬＥＤヘッド２２７と感光体ドラム２２２との間の距離Ｈを調整する第１調整手段９、およびＬＥＤヘッド２２７の感光体ドラム２２２に対する走査傾きを調整する第２調整手段１０を含み構成される。
【００４９】
以下の説明で、感光体ドラム２２２の軸線方向をＸ軸方向とし、前記Ｘ軸方向に垂直で感光体ドラム２２２の軸線から移動部材５に向かう方向をＹ軸方向とし、前記Ｘ軸方向およびＹ軸方向に垂直な方向をＺ軸方向とする。本実施形態では、Ｘ軸方向およびＺ軸方向は水平方向であり、Ｙ軸方向は鉛直方向である。
【００５０】
当接部材７は、ＬＥＤヘッド２２７の両端部のヘッド支持部２に固定して設けられ、ＬＥＤヘッドの長手方向（図４の左右方向）に対して垂直な方向に延びるピン部材である。当接部材７は、Ｙ軸方向に延び、Ｙ軸方向一端部である上端部が移動部材５に当接し、Ｙ軸方向他端部である下端部が枠部材６に当接する。当接部材７は、ＬＥＤヘッド２２７の一端部に設けられる第１当接部材７ａと、ＬＥＤヘッド２２７の他端部に設けられる第２当接部材７ｂとから構成される。
【００５１】
移動部材５は、前記ＬＥＤヘッド２２７の両端部に設けられる当接部材７の両方に対して設けられる。移動部材５は、ＬＥＤヘッド２２７の一端部に設けられる第１当接部材７ａが当接する第１移動部材５ａ、およびＬＥＤヘッド２２７の他端部に設けられる第２当接部材７ｂが当接する第２移動部材５ｂとを含む。移動部材５は、前記支持軸４に沿って、感光体ドラム２２２の軸線に略平行に移動可能に設けられる。具体的には、図５および図６に示すように移動部材５は支持軸４に嵌入して設けている。移動部材５は、弾発性部材であるスプリング１１によって支持軸４の軸線方向両端部に付勢される。スプリング１１はコイルバネであり、支持軸４に嵌入されて設けられる。
【００５２】
また移動部材５は、感光体ドラム２２２の軸線方向、つまりＸ軸方向に傾斜する傾斜面１５を有する。前記傾斜面１５は、移動部材５の感光体ドラム２２２に向かう側、つまり移動部材５の下部に形成される。本実施形態では、第１移動部材５ａおよび第２移動部材５ｂに設けられる傾斜面１５の傾斜方向を異ならせている。つまり、第１移動部材５ａでは、支持軸４の一方側から他方側に向かうに連れて上方に傾斜するように傾斜面１５を形成し、第２移動部材５ｂでは、支持軸４の他方側から一方側に向かうに連れて上方に傾斜するように傾斜面１５を形成している。このように移動部材５の傾斜面を設けることで、ＬＥＤヘッド２２７をＸ軸方向に安定させることができる。
【００５３】
第１移動部材５ａには、図６（ａ）に示すように前記第１当接部材７ａと一点で当接するように傾斜面１５が形成される。第２移動部材５ｂでは、図６（ｂ）に示すように前記第２当接部材７ｂと２点以上で当接するように第２当接部材５ｂは下部に凹部１６を有し、傾斜面１５は凹部１６の底部に形成される。本実施形態では、前記凹部１６をＸ軸方向に延びる溝状に形成している。このように凹部１６を設けて当接部材７を当接させることによって、凹部１６の底部に形成される傾斜面１５と、凹部１６の側面とで当接部材７の位置決めを行うことができる。
【００５４】
枠部材６は、ＬＥＤヘッド２２７を覆うように設けられる。枠部材６は、長手方向一端部側の第１フレーム２０、長手方向他端部側の第２フレーム２１、および第１フレームおよび第２フレームとの間の第３フレーム２３とから構成される。前記第１〜第３フレームは一枚の金属製の板材を折り曲げた一体構造となっている。枠部材６の長手方向両端部、つまり第１フレーム２０および第２フレーム２１には貫通孔が設けられる。支持軸４は前記貫通孔に挿通されて枠部材６を支持する。枠部材６は支持軸４に対して回転可能に支持される。枠部材６の感光体ドラム２２２に対向する側、つまり枠部材６の下部には、前記当接部材７のＹ軸方向他端部（下端部）が当接する係止部２５が設けられる。前記係止部２５は、第３フレーム２２に形成される。また、ＬＥＤヘッド２２７の一端部に設けられる第１当接部材７ａが当接する枠部材６の一端部の係止部２５を第１係止部２５ａとし、ＬＥＤヘッド２２７の他端部に設けられる第２当接部材７ｂとが当接する枠部材６の他端部の係止部２５を第２係止部２５ｂとする。
【００５５】
図７（ａ）は枠部材６の第１係止部２５ａを示す部分底面図であり、図７（ｂ）は枠部材６の第２係止部２５ｂを示す部分底面図である。図７（ａ）および図７（ｂ）に示すように第１係止部２５ａおよび第２係止部２５ｂの形状は異なる。第１係止部２５ａは、Ｚ軸方向に先端部を有する略Ｕ字状の切り込みによって構成される。第１係止部２５によって、第１当接部材７ａの下端部をＺ軸方向に位置決めすることができる。第２係止部２５ｂは、Ｚ軸方向に先端部を有する楔形（略Ｖ字状）の切り込みによって構成される。第２係止部２５ｂによって、第２当接部材７ｂの下端部をＸ軸方向およびＺ軸方向に位置決めすることができる。本実施形態では、係止部２５は書込みユニットの正面側が開放された切り込みによって形成されているが、切り込みを有する貫通孔または凹部によって形成されてもよい。
【００５６】
ヘッド支持部２と枠部材６との間にはスプリング８が設けられ、ＬＥＤヘッド２２７を斜め上方に付勢する。本実施形態では、スプリング８としてコイルバネを用いる。具体的には図４および図６に示すように、スプリング８は、ＬＥＤヘッド２２７のヘッド支持部２と枠部材６の背面上方とにわたって設けられ、ＬＥＤヘッド２２７を枠部材６の背面上方に付勢する。したがって、ＬＥＤヘッド２２７には常に背面上方に付勢力が働くので、当接部材７が移動部材５側および枠部材６側に付勢される。スプリング８は、ＬＥＤヘッド２２７の第１当接部材７ａのＹ軸方向一端部（上端部）を第１移動部材５ａに対してＹ軸方向に付勢し、ＬＥＤヘッド２２７の第１当接部材７ａのＹ軸方向他端部（下端部）を枠部材６に対してＺ軸方向に付勢し、ＬＥＤヘッド２２７の第２当接部材７ｂのＹ軸方向一端部（上端部）を第２移動部材５ｂに対してＹ軸方向およびＺ軸方向に付勢し、ＬＥＤヘッド２２７の第２当接部材７ｂのＹ軸方向他端部（下端部）を枠部材６に対してＸ軸方向およびＺ軸方向に付勢することができる。したがって、ＬＥＤヘッド２２７をＸ軸方向、Ｙ軸方向およびＺ軸方向の全ての方向に位置決めすることができる。
【００５７】
図８は、第２移動部材５ｂと第２当接部材７ｂとの当接部を拡大して示す断面図である。第２移動部材５の下部には上述したように溝状の凹部１６が形成される。この凹部１６の底部に形成され傾斜面１５は、２つの方向に傾斜する面を有する。この凹部１６の底部に形成される傾斜面１５は、Ｘ軸方向に傾斜し、Ｚ軸方向に傾斜しない第１傾斜面１５ａと、前記第１傾斜面１５ａに連なり、Ｘ軸方向に傾斜し、さらにＺ軸方向の感光体ドラム２２２に向かう方向に傾斜する第２の傾斜面１５ｂとから構成される。第２当接部材７ｂを凹部１６に当接させると、スプリング８の付勢力Ｆｓ１によって、Ｙ軸方向およびＺ軸方向の分力ＦｕおよびＦｈが働く。これによって、凹部１６の壁面に空間１８ａが形成され、凹部１６の底部に空間１８ｂが形成されるとともに、凹部１６の第２の傾斜面１６とスプリング８に近接する側面１９との２箇所で第２当接部材７ｂが当接する。したがって、第２当接部材７ｂをＹ軸方向およびＺ軸方向に確実に当接させて位置決めを行うことができる。本実施形態では、第２移動部材５ｂが配置される枠部材６の他端部側がＬＥＤヘッド２２７の書込みヘッド調整装置３に対する位置決めの基準側となっている。これに対して、第１移動部材５ａと第１当接部材７ａとの当接部では、Ｙ軸方向にのみ位置決めを行い、Ｚ軸方向には位置決めを行わない構成としている。このように第１移動部材５ａ側では、Ｚ軸方向の位置規制を行わないが、ＬＥＤヘッド２２７は十分な剛性を有するので、スプリングＳ１によって斜め上方に引っ張られてもＺ軸方向に第１当接部材７ａは傾かない。
【００５８】
書込みヘッド調整装置３の複写機１のフレーム側、つまり書込みヘッド調整装置３の長手方向の一端部および他端部には、ＬＥＤヘッド２２７と感光体ドラム２２２との間の距離Ｈを調整する第１調整手段９がそれぞれ設けられる。第１調整手段９は、間隔調整ネジ３０および枠部材６のフレームに設けられるネジ孔３１から構成される。前記ネジ孔３１は、移動部材５の側面に対応する位置に設けられる。このネジ孔３１に間隔調整ネジ３０を螺合させて、その先端部を移動部材５に当接させる。移動部材５は、スプリング１１によって書込みヘッド調整装置３の長手方向の端部側に付勢されているので、スプリング１１の付勢力と間隔調整ネジ３０とによって、移動部材５のＸ軸方向の位置決めを行うことができる。間隔調整ネジ３０は、書込みヘッド調整装置３が複写機１のフレームに装着された場合に、複写機１の側部から外側に突出するように構成される。したがって、複写機１の外装を開ける構成としておき、この外装を取り外すだけで、間隔調整ネジ３０を容易に回転させて移動部材５を移動させることができる。
【００５９】
間隔調整ネジ３０を回転させることによって、移動部材５を支持軸４に沿って移動させる、つまりＸ軸方向に移動させると、移動部材５の傾斜面１５に当接する当接部材７は、傾斜面１５に案内されてＹ軸方向に移動する。当接部材７がＹ軸方向に移動することによって、ＬＥＤヘッド２２７がＹ軸方向に移動する。したがって、ＬＥＤヘッド２２７と感光体ドラム２２２との間の距離Ｈを調整することができる。
【００６０】
次に、図９、図１０および図１１を参照して書込みヘッド調整装置３によるＬＥＤヘッド２２７と感光体ドラム２２２との間の距離Ｈの調整動作について説明する。ここでは、書込みヘッド調整装置３の一端部の第１調整手段９による調整についてのみ説明するが、他端部の第１調整手段９でも同様である。なお、図９〜１１では、枠部材６、スプリング８などは図が煩雑となることを防ぐため省略し、図１１では、さらに間隔調整ネジ３０、支持軸４およびスプリング１１を省略して示している。
【００６１】
図９に示すように、第１移動部材５ａには支持軸４の軸線方向の端部側にスプリング１１の付勢力Ｆｏが働いている。また、第１当接部材７ａにはスプリング８の付勢力のうちＹ軸方向上方に作用する力Ｆｕが働いている。
【００６２】
図１０は間隔調整ネジ３０をＸ軸方向に進退させたときに移動する第１移動部材５ａに関連して、ＬＥＤヘッド２２７がＹ軸方向に上下移動する状態を示す正面図であり、図１１はその動作を模式的に示す正面図である。ＬＥＤヘッド２２７と感光体ドラム２２２との間の距離がＨである場合に、間隔調整ネジ３０を進退させることで、図１０に示すようにＬＥＤヘッド２２７と感光体ドラム２２２との間の距離をＨよりも短いＨ１あるいは、Ｈよりも長いＨ２とすることができる。
【００６３】
図１０を参照して具体的に説明すると、第１移動部材５ａが位置Ｘａにあるときには、第１移動部材５ａの傾斜面１５と第１当接部材７ａとは当接点ａで接触し、このときのＬＥＤヘッド２２７と感光体ドラム２２２との間の距離ＨはＨａであるとする。この状態から第１移動部材５ａを位置Ｘａから書込みヘッド調整装置３の内側の位置Ｘｂに移動させると、第１移動部材５ａと第１当接部材７ａとの当接点はＹ軸方向の下方に移動し、第１移動部材５ａと第１当接部材７ａとは当接点ｂで接触する。第１移動部材５ａと第１当接部材７ａとの当接点がＹ軸方向の下方、つまり感光体ドラム２２２に向かう方向に移動することで、ＬＥＤヘッド２２７と感光体ドラム２２２との間の距離ＨがＨａよりも短いＨｂとなる。逆に、第１移動部材５ａを位置Ｘａから書込みヘッド調整装置３の端部側の位置Ｘｃに移動させると、第１移動部材５ａと第１当接部材７ａとの接触点はＹ軸方向の上方に移動し、第１移動部材５ａと第１当接部材７ａとは当接点ｃで接触する。第１移動部材５ａと第１当接部材７ａとの当接点がＹ軸方向の上方、つまり感光体ドラム２２２から離反する方向に移動することで、ＬＥＤヘッド２２７と感光体ドラム２２２との間の距離ＨがＨａよりも長いＨｂとなる。
【００６４】
図１２（ａ）は、ＬＥＤヘッド２２７と感光体ドラム２２２との間の距離Ｈを狭くする場合の動作を示す正面図である。ＬＥＤヘッド２２７と感光体ドラム２２２との間の距離Ｈを狭くする場合には、間隔調整ネジ３０を進入してスプリング８の付勢力Ｆｏに逆らう方向、つまり書込みヘッド調整装置３の内側（図１１（ａ）の右方向）に第１移動部材５ａをＸ１移動させる。第１移動部材５ａの移動に伴って、第１当接部材７ａはスプリング８の付勢力のうちＹ軸方向上方に作用する力Ｆｕに逆らうＹ軸方向下方、つまり感光体ドラム２２２に向かう方向にＹ１移動する。これによって、ＬＥＤヘッド２２７と感光体ドラム２２２との間の距離をＨよりも狭いＨ１とすることができる。
【００６５】
図１２（ｂ）は、ＬＥＤヘッド２２７と感光体ドラム２２２との間の距離Ｈを広くする場合の動作を示す正面図である。ＬＥＤヘッド２２７と感光体ドラム２２２との間の距離Ｈを広くする場合には、間隔調整ネジ３０を退出してスプリング８の付勢力Ｆｏの働く方向、つまり書込みヘッド調整装置３の外側（図１１（ｂ）の左方向）に第１移動部材５ａをＸ２移動させる。第１移動部材５ａの移動に伴って、第１当接部材７ａはスプリング８の付勢力のうちＹ軸方向上方に作用する力Ｆｕが働くＹ軸方向の上方、つまり感光体ドラム２２２に離反する方向にＹ２移動する。これによって、ＬＥＤヘッド２２７と感光体ドラム２２２との間の距離をＨよりも広いＨ２とすることができる。
【００６６】
なお、本実施形態では下部に傾斜面１５を有した移動部材５を当接部材７の上部に当接させる構成を示したが、反対に、下方に延びる当接部を移動部材５に設け、この当接部の先端部が当接するＬＥＤヘッド支持部材３の上面に傾斜面を形成する構成としてもよい。これによって、移動部材５が支持軸４に沿って移動するとき、ＬＥＤヘッド支持部材３の上部に設けられた傾斜面によってＬＥＤヘッド２２７をＹ軸方向に上下に移動させることができ、ＬＥＤヘッド２２７と感光体ドラム２２２との間の距離Ｈを調整することができる。
【００６７】
以上のように書込みヘッド調整装置３を用いることによって、ＬＥＤヘッド２２７の両側からＬＥＤヘッド２２７と感光体ドラムと２２２の間の距離Ｈを調整することができる。したがって、ＬＥＤヘッド２２７の下方が開放されない構造であったとしても、書込みヘッド調整装置３の側部からＬＥＤヘッド２２７の感光体ドラム２２２に対する位置を容易に調整することができる。また、第１調整手段９として、間隔調整ネジ３０を用いることによって、間隔調整ネジ３０の回転を移動部材５の直線移動に変換するので、ＬＥＤヘッド２２７と感光体ドラム２２２との間の距離Ｈを調整、つまりＬＥＤヘッドのピント調整を精密に行うことができる。
【００６８】
また、前記移動部材５に設けられる傾斜面１５の傾斜角度を変更することによって間隔調整ネジ３０の移動量に対するＬＥＤヘッド２２７の移動量である調整率を変えてもよい。傾斜面１５のＸ軸方向に対する傾斜角度を小さくすることで、調整ネジ１５の移動量に対してＬＥＤヘッド２２７の移動量を小さくすることができるので、微小な間隔調整が可能となる。また、移動部材５に設けられる傾斜面１５は、所定の曲率を有する曲面としてもよい。
【００６９】
また、書込みヘッド調整装置３では、ＬＥＤヘッド２２７の両端部に設けられる当接部材７の両方に移動部材５が設けられ、それぞれの移動部材５を第１調整手段９が設けられるので、ＬＥＤヘッド２２７の両端部で個別に感光体ドラム２２２との距離を調整することができる。したがって、感光体ドラム２２２の軸線が傾斜していても、これに対応してＬＥＤヘッド２２７の位置を調整することができる。
【００７０】
また、移動部材５には、枠部材６の長手方向端部に向かって突出する突出片３５が設けられる。図１３は第１移動部材５ａの突出片３５を拡大して示す正面断面図であり、図１４は第１移動部材５ａの突出片３５を拡大して示す側面図である。枠部材６の第１フレーム２０には、突出片３５の端部に対応した位置に開口部３６が設けられる。開口部３６は、枠部材６に孔によって構成してもよく、また切欠きによって構成してもよい。これによって、開口部３６を通して、突出片３５の先端部の位置を確認することができ、前記突出片３５と開口部３５との位置関係によって、ＬＥＤヘッド２２７と感光体ドラム２２２との間の距離Ｈを確認することができる。なお、図１３および図１４では、書込みヘッド調整装置３の一端部の第１移動部材５ａに設けられる突出片３５についてのみ示しているが、他端部の第２移動部材５ｂに設けられる突出片３５についても同様に構成される。さらに、複写機１のフレームには、書込みヘッド調整装置３を複写機１のフレームに取り付けたときに、前記突出片３５の位置を確認することができる位置に確認窓が設けられる。したがって、書込みヘッド調整装置３が複写機１に装着された状態においても、ＬＥＤヘッド２２７と感光体ドラム２２２との位置関係を確認することができる。
【００７１】
図１５は、複写機１のフレーム（以下、本体フレームと呼称する）に取り付けられた書込みユニットを示す斜視図である。図１６は、図１５の切断面線Ｃ−Ｃから見た正面断面図である。図１７（ａ）は図１６の切断面線Ｄ−Ｄから見た断面図であり、図１７（ｂ）は図１６の切断面線Ｅ−Ｅから見た断面図である。また図１８は、本体フレームに取り付けられた書込みユニットを感光体ドラム２２２側から見た平面図である。図１９は（ａ）は、本体フレームに取り付けられた書込みユニットを一方側から見た側面図であり、図１９（ｂ）は、本体フレームに取り付けられた書込みユニットを他方側から見た側面図である。
【００７２】
第２調整手段１０は、枠部材６の一端部に設けられる。第２調整手段１０は、支持板４０、ネジ孔４１および走査傾き調整ネジ４２を含み構成される。支持板４０は、枠部材６の一端部の第１フレーム２０から枠部材６の長手方向（Ｘ軸方向）に突出する。前記支持板４０にネジ孔４１が設けられ、このネジ孔４１に走査傾き調整ネジ４２が螺合する。本実施形態では支持板４０は第1フレーム２０の上端部に配置される。なお、支持板４０は、枠部材６と一体的に構成してもよい。第２調整手段１０によるＬＥＤヘッド２２７の感光体ドラム２２２に対する走査傾きの調整については後述する。
【００７３】
複写機１の一方側部のフレーム（以下、第１本体フレームを記す）４５には、書込みヘッド調整装置３の長手方向に突出する支持軸４の外形と等しい切欠き４６が設けられる。支持軸４の一端部を前記切欠き４６に当接させて位置決めを行い、第１固定ネジ４７によって枠部材６を第１本体フレーム４５に固定する。第１固定ネジ４７は、枠部材６の第１フレーム２０に設けられる孔４８に挿通され、これに対応する第１本体フレーム４５に設けられるネジ孔に螺合する。孔４８は、第１固定ネジ４７を緩めると枠部材６が第１本体フレーム４２に対して可動するように設けられ、本実施形態では略楕円形状としている。
【００７４】
複写機１の他方側部のフレーム（以下、第２本体フレームと記す）５０には、書込みヘッド調整装置３の長手方向に突出する支持軸４が挿通される孔５１が設けられる。支持軸４の他端部を前記孔５１に挿通させて位置決めを行い、固定ネジによって枠部材６を複写機１の他方側部のフレームに固定する。本実施形態では、支持軸４の上方に設けられる第２固定ネジ５２、および支持軸４の下方に設けられる第３固定ネジ５３の２箇所で枠部材６の他端部を第２本体フレーム５０に固定している。また本実施形態では、第１固定ネジ４７は、第２固定ネジ５２に対応する位置に固定される。また、第２本体フレーム５０には、書込みヘッド調整装置３の移動部材５から突出する突出片３５が設けられる位置に、フレーム開口部５４が設けられる。これによって、書込みヘッド調整装置３を本体フレームに複写機１のフレームに取り付けた状態でも、側方から係止片３５の位置を確認することができ、ＬＥＤヘッド２２７と感光体ドラム２２２との間の距離Ｈの調整が容易となる。
【００７５】
このように枠部材６は、複写機１のフレームに対して支持軸４を基準に装着され、複数の固定ネジによって固定される。上述したように書込みユニットを複写機１のフレームに取り付けることによって、ＬＥＤヘッド２２７を交換する時に、複写機１の側方から固定ネジを外して、書込みユニットを容易に取り外すことができる。
【００７６】
第１本体フレーム４５は、外方に突出し、前記枠部材６の支持板４０に対向するフレーム突出部６０を有する。フレーム突出部６０は、第１本体フレーム４５と一体に構成されてもよい。フレーム突出部６０には、枠部材６を所定の方向に付勢するスプリング６１が取り付けられている。前記第１本体フレーム４５のフレーム突出部６０に設けられるスプリング６１は、走査傾き調整ネジ４２の先端部をフレーム突出部６０側に付勢する。
【００７７】
ここで、第２調整手段１０を用いて行うＬＥＤヘッド２２７の感光体ドラム２２２に対する走査傾きの調整について具体的に説明する。図２０および図２１は、走査傾きを調整するときの書込みヘッド調整装置３の動作を示す側面図および平面図である。まず、枠部材６の他端部を第２本体フレーム５０に固定した状態で、枠部材６の一端部を第１本体フレーム４５に固定している第１固定ネジ４７を緩める。ここで、走査傾き調整ネジ４２を回転させてフレーム突出部６０に向かう方向（図２０および図２１の矢符Ｆ１の方向）に進入させると、走査傾き調整ネジ４２はフレーム突出部６０に阻止され、枠部材６の上端部７０はフレーム突出部６０から離反する方向（図２０および図２１の矢符Ｆ２の方向）に作用を受ける。枠部材６は、支持軸４に回転可能に支持されているので、支持軸４を中心にねじり回転され、枠部材６の下端部７１には図２０の矢符Ｆ３の方向に回転力が作用する。これによって、枠部材６が支持軸４を中心にねじられる。
【００７８】
枠部材６がねじり回転すると、枠部材６の内部に保持されているＬＥＤヘッド２２７は、第２当接部材７ｂ側を基準側として揺動し、回転運動する。これによって、感光体ドラム２２２の軸線を中心とした円筒形状の面内でＬＥＤヘッド２２７の長手方向を感光体ドラム２２２の軸線方向と平行にすることができる。また、図２２は、前記調整を行ったときの書込みユニットの動作を示す断面図である。図２２に示す実線は調整前の書込みユニットの状態を示し、破線は調整後の書込みユニットの状態を示す。書込みヘッド調整装置３では、ＬＥＤヘッド２２７の第1当接部材７ａのＹ軸方向上端部が当接する第1移動部材５ａの傾斜面１５を、凹部を設けないフラットな形状としているので、枠部材６をねじり回転させたとき、図２２に示すように第１当接部材７ａは、傾斜面１５をすべることができる。また上述したように、第１当接部材７ａの下端部はＺ軸方向にのみ位置決めされている。したがって、ＬＥＤヘッド２２７に歪みを与える力を逃がすことができ、枠部材６をねじり回転させてもＬＥＤヘッド２２７の破壊または変形を防止することができる。また、図２０および図２１では、走査傾き調整ネジ４２を矢符Ｆ１方向に進入させた場合について説明したが、矢符Ｆ１方向とは反対方向に移動させると、枠部材６を逆にねじることができる。以上のように枠部材６を、支持軸４を中心にねじり回転させることによって、第２調整手段１０によって感光体ドラム２２２の軸線を中心とした円筒形状の面内でＬＥＤヘッド２２７の長手方向を感光体ドラム２２２の軸線方向と平行にすることができ、ＬＥＤヘッド２２７の感光体ドラム２２２に対する走査傾きを調整することができる。
【００７９】
ＬＥＤヘッド２２７の感光体ドラム２２２に対する走査傾きの調整は、複写機１の一方側部から調整することができる。また、走査傾き調整ネジ４２を用い、この走査傾き調整ネジ４２を回転させ、直線運動させることで枠部材６をねじり回転させる力としているので、ＬＥＤヘッド２２７の感光体ドラム２２２に対する走査傾きを精密に行うことができる。
【００８０】
また、本実施形態では走査傾き調整ネジ４２によって調整を行うが、偏心部材を用いて枠部材６を、支持軸４を中心に回転させる構成としてもよい。
【００８１】
なお、走査傾き調整ネジ４２によってＬＥＤヘッド２２７の感光体ドラム２２２に対する走査傾きを調整した後は、枠部材６の一端部を固定ネジによって複写機１の一方側部のフレームに固定する。このとき、固定ネジの他に枠部材６を複写機１の一方側部のフレームに固定する固定手段を更に設けてもよい。
【００８２】
以上のように、書込みヘッド調整装置３によってＬＥＤヘッド２２７と感光体ドラム２２２との間の距離Ｈを調整することができ、また、ＬＥＤヘッド２２７の感光体ドラム２２２に対する走査傾きを調整することができる。また、ＬＥＤヘッド２２７と感光体ドラム２２２との間の距離Ｈは、ＬＥＤヘッド２２７の両端部で個別に調整することができる。感光体ドラム２２２に対するＬＥＤヘッド２２７の位置を精密に調整することができる。
【００８３】
再び図１を参照して、複写機１の他の構成を説明する。
両面自動原稿送り装置１１２は、まず原稿の一方の面が原稿台１１１の所定位置において画像読み取り部１１０に対向するように原稿を搬送し、この一方の面についての画像の読み取りが終了した後に、原稿の他方の面が原稿台１１１の所定位置において画像読み取り部１１０に対向するように原稿を反転して原稿載置台１１１に向かって搬送する。そして、両面自動原稿送り装置１１２は、１枚の原稿について両面の画像の読み取りが終了した後に、この原稿を排出し、次の原稿についての搬送動作を実行する。以上の原稿の搬送および反転動作は、複写機１全体の動作に関連して制御部２００によって制御される。また、複写機１の各部は制御部２００によって制御される。
【００８４】
原稿読み取り部１１０は、原稿台１１１の下方に配置され、原稿台１１１上に載置される原稿、または両面自動原稿送り装置１１２によって原稿台１１１上に搬送されてきた原稿の画像を読み取る。画像読み取り部１１０は、原稿台１１１の下面に沿って平行に往復移動する原稿走査体１１３，１１４と、光学レンズ１１５と、光電変換素子であるＣＣＤ（Charge Coupled Device）ラインセンサとを含み構成される。
【００８５】
原稿走査体１１３，１１４は、第１の走査ユニット１１３と第２の走査ユニット１１４とから構成される。第１の走査ユニット１１３は、原稿の表面を露光する露光ランプと、原稿からの反射光像を所定の方向に向かって偏向する第１ミラーとを有し、原稿台１１１の下面に対して一定の距離を保ちながら所定の走査速度で平行に往復移動する。第２の走査ユニット１１４は、第１の走査ユニット１１３の第１ミラーによって偏向された原稿からの反射光像を更に所定の方向に向かって偏向する第２および第３ミラーとを有し、第１の走査ユニット１１３と一定の速度関係を保って平行に往復移動する。
【００８６】
光学レンズ１１５は、第２の走査ユニット１１４の第３ミラーによって偏向された原稿からの反射光像を縮小し、縮小した光像ＣＣＤラインセンサ１１６上の所定位置に結像させる。
【００８７】
ＣＣＤラインセンサ１１６は、結像された光像を順次光電変換して電気信号として出力する。ＣＣＤラインセンサ１１６は、白黒画像あるいはカラー画像を読み取り、Ｒ（赤）、Ｇ（緑）、Ｂ（青）の各色成分に分解したラインデータを出力可能な３ラインのカラーＣＣＤである。このＣＣＤラインセンサ１１６によって電気信号に変換された原稿画像情報は、さらに、図示しない画像処理部に転送されて所定の画像データ処理が施される。
【００８８】
次に、画像形成部２１０の構成および画像形成装置２１０に関わる各部の構成について説明する。
【００８９】
画像形成部２１０の下方には、用紙トレイ内に積載収容されている記録紙１００を一枚ずつ分離して、画像形成部２１０に向かって供給する給紙機構２１１が設けられている。給紙機構２１１によって一枚ずつ分離された記録紙１００は、画像形成部２１０の手前に設けられる１対のレジストローラ２１２によってタイミングが制御されて画像形成部２１０に搬送される。
【００９０】
画像形成部２１０の下部には、転写搬送ベルト機構２１３が配置されている。転写搬送ベルト機構２１３は、駆動ローラ２１４と従動ローラ２１５との間に転写搬送ベルト２１６を略平行に延びるように張架し、この転写搬送ベルト２１６に記録紙１００を静電吸着させて搬送する。
【００９１】
用紙搬送路における転写搬送ベルト機構２１３の下流側には、記録紙１００上に転写形成されたトナー像を記録紙１００上に定着させるための定着装置２１７が配置されている。定着装置２１７が備える１対の定着ローラ間にニップ部を通過した記録紙１００は、搬送方向切り換えゲート２１８を経て、排出ローラ２１９によって複写機１本体の外壁に取り付けられている排紙トレイ２２０上に排出される。
【００９２】
搬送方向切り換えゲート２１８は、トナー像を定着させた後の記録紙１００の搬送経路を、複写機１本体から排出する経路と、画像形成部２１０に再供給する経路とを選択的に切り換える。切り換えゲート２１８によって再び画像形成部２１０に向かって搬送される記録紙１００は、スイッチバック搬送経路２２１によって表裏が反転された後、レジストローラ２１２によってタイミングが制御されて画像形成装置２１０へと再度供給される。
【００９３】
画像形成部２１０の上部には、転写搬送ベルト２１６に沿って第１の画像形成ステーションＰａ、第２の画像形成ステーションＰｂ、第３の画像形成ステーションＰｃおよび第４の画像形成ステーションＰｄが記録紙１００の搬送経路上流側から順に並設されている。
【００９４】
転写搬送ベルト２１６は、駆動ローラ２１４によって、図１の矢符Ｚの方向に摩擦駆動され、上述したように給紙機構２１１によって供給される記録紙１００を吸着し、第１〜第４の画像形成ステーションＰａ〜Ｐｂへと順次搬送する。
【００９５】
各画像形成ステーションは、実質的に同一の構成であり、図２に示す構成である。ＬＥＤヘッド２２７ａには、カラー画像の黒色成分像に対応する画像信号が入力され、ＬＥＤヘッド２２７ｂには、カラー画像のシアン成分像に対応する画像信号が入力され、ＬＥＤヘッド２２７ｃには、カラー画像のマゼンタ成分像に対応する画像信号が入力され、ＬＥＤヘッド２２７ｄには、カラー画像のイエロー成分像に対応する画像信号が入力される。
【００９６】
これによって、色変換された原稿画像情報に対応する静電潜像が各感光体ドラム２２２ａ〜２２２ｄ上に形成される。現像装置２２４ａには黒色のトナーが収容され、現像装置２２４ｂにはシアンのトナーが収容され、現像装置２２４ｃにはマゼンタのトナーが収容され、現像装置２２４ｄにはイエローのトナーが終了される。感光体ドラム２２２ａ〜２２２ｄに形成された静電潜像は、これら各色のトナーによって現像される。これによって、色変換された原稿画像情報が各色のトナー像として再現される。
【００９７】
また第１の画像形成ステーションＰａと給紙機構との間には、用紙吸着用帯電器２２８が設けられる。用紙吸着用帯電器２２８は、ブラシ帯電器であり、転写搬送ベルト２１６の表面を帯電させる。これによって、給紙機構２１１から供給された記録紙１００は、転写搬送ベルト２１６上に確実に吸着させた状態で第１の画像形成ステーションＰａから第４の画像形成ステーションＰｄの間を搬送することができる。
【００９８】
一方、第４の画像形成ステーションＰｄと定着装置２１７との間で、駆動ローラ２１４の上方には徐電器２２９が設けられる。徐電器２２９には、交流電流が印加されており、転写搬送ベルト２１６に吸着されている記録紙１００を転写搬送ベルト２１６から分離する。
【００９９】
上述した構成の複写機１では、記録紙１００としてカットシート状の記録紙１００が用いられる。記録紙１００は、給紙トレイから送り出されて給紙機構２１１の給紙搬送経路のガイド内に供給されると、記録紙１００の先端部分がセンサ（図示せず）によって検知され、このセンサから出力される検知信号に基づいて１対のレジストローラ２１２によって一端停止される。
【０１００】
そして、記録紙１００は第１〜第４の画像形成ステーションＰａ〜Ｐｄとタイミングをとって図１の矢符Ｚ方向に回転している転写搬送ベルト２１６上に送られる。このとき転写搬送ベルト２１６は、上述したように吸着用帯電器２２８によって所定の帯電が施されているので、記録紙１００は第１〜第４の画像形成ステーションＰａ〜Ｐｂを通過する間、安定して搬送される。
【０１０１】
第１〜第４の画像形成ステーションＰａ〜Ｐｄでは、転写搬送ベルト２１６によって静電吸着されて搬送される記録紙１００上に各色のトナー像を重ね合わせる。第４の画像形成ステーションＰｄによる記録紙１００へのトナー像の転写が完了すると、記録紙１００はその先端部分から順次、除電器２２９によって転写搬送ベルト２１６上から剥離され、定着装置２１７へと導かれる。最後に、定着装置２１７によってトナー像が定着された記録紙１００は、用紙排出口（図示せず）から排紙トレイ２２０上へと排出される。
【０１０２】
以上のように本発明のディジタルカラー複写機１では、ＬＥＤヘッド２２７と感光体ドラム２２２との間の距離Ｈを複写機１のフレームの側部から調整することができ、またＬＥＤヘッド２２７の感光体ドラム２２２に対する走査傾きを複写機のフレームの側部から調整することができる。したがって、本体装置の外装を開けるだけでＬＥＤヘッド２２７の感光体ドラム２２２に対する位置を調整することができる。
【０１０３】
上述した本実施形態では、書込みヘッドとしてＬＥＤヘッド２２７を用いているが、蛍光体発光素子（ＦＬ）、エレクトロルミネッセンス（ＥＬ）などの固体発光素子を用いた書込みヘッド、液晶などのシャッターを用いた書込みヘッドを用いてもよい。
【０１０４】
また、本発明は複写機１の他に、プリンタおよびファクシミリなどの画像形成装置に好適に適用することができる。
【０１０６】
【発明の効果】
以上のように本発明によれば、調整手段によって本体装置の側部から書込みヘッドの感光体ドラムに対する走査傾きを調整することができる。したがって、本体装置の内部の部品を分解することなく、本体装置の外装を開けるだけで、書込みヘッドの感光体ドラムに対する走査傾の調整が可能である。
【０１０７】
また本発明によれば、移動部材および当接部材の少なくともいずれか一方は、感光体ドラムの軸線方向に傾斜する傾斜面を有するので、感光体ドラムの軸線方向の移動部材を移動させることで、感光体ドラムの軸線方向に垂直な方向に当接部材を移動させることができ、書込みヘッドと感光体ドラムとの間の距離を調整することができる。
【０１０８】
また本発明によれば、移動部材は書込みヘッドの両端部に設けられる当接部材の両方に対して設けられるので、感光体ドラムの軸線方向に沿って書込みヘッドと感光体ドラムとの間の距離を精度が高く、また容易に調整することができる。
【０１０９】
また本発明によれば、枠部材に設けられる開口部と移動部材に設けられる突出片との位置関係によって、書込みヘッドと感光体ドラムとの位置関係を確認することができるので、書込みヘッドと感光体ドラムとの間の距離の調整を容易に行うことができる。
【０１１０】
また本発明によれば、書込みヘッドの一端部をＹ軸方向およびＺ軸方向に位置決めし、他端部をＸ軸方向、Ｙ軸方向およびＺ軸方向に位置決めすることによって、書込みヘッドをＸ軸方向、Ｙ軸方向およびＺ軸方向の全ての方向に位置決めすることができる。また、支持軸を中心として枠部材をねじり回転させたときに書込みヘッドのねじれを防止することができるので、書込みヘッドが破壊または変形しない。
【０１１１】
また本発明によれば、移動部材は第２当接部材のＹ軸方向一端部が当接する凹部を有する。凹部の底部をＸ軸方向に傾斜する傾斜面として、凹部の底部および凹部の側面に第２当接部材が当接するように弾発性部材によって付勢することで１方向の付勢力によってＹ軸方向およびＺ軸方向の位置決めを行うことができる。
【０１１２】
また本発明によれば、枠部材は第２当接部材のＹ軸方向他端部が当接する係止部を有する。係止部にはＺ軸方向に先端部を有する楔形の切り込みが形成される。この切り込みの底部の２箇所に第１当接部材が当接するように弾発性部材によって付勢することで、１方向の付勢力によってＸ軸方向およびＺ軸方向の位置決めを行うことができる。
【０１１３】
また本発明によれば、前記凹部の底部には、Ｚ軸方向で感光体ドラムに向かう方向に傾斜する第２の傾斜面が形成されるので、第１当接部材のＹ軸方向一端部は凹部の底部および側面に確実に当接させることができる。
【０１１４】
また本発明によれば、枠部材は書込みヘッドよりも剛性が低いので、枠部材をねじり回転させて、枠部材に支持された書込みヘッドの当接部材を移動させ、書込みヘッドの感光体ドラムに対する走査傾きを調整することができる。また、枠部材をねじり回転させ変形させたときに、書込みヘッドがねじれて変形することを防止できる。
【０１１５】
また本発明によれば、フレーム間に回転可能に支持される円筒形状の感光体ドラムに、前記書込みヘッド調整装置に保持される書込みヘッドによって、静電潜像を形成することができる。感光体ドラムに形成された静電潜像をトナーによって現像し、記録部材に転写することによって高品質な画像を形成することができる。また、本体装置の側部から書込みヘッドの位置調整を行うことができるので、テスト印刷を実行しながらでも調整作業を行うことができる。
【０１１６】
また本発明によれば、書込みヘッド調整装置は書込みヘッドとともに１つのユニットとして本体装置のフレームに着脱自在に構成されるので、書込みヘッドの交換では、書込みヘッド調整装置ごと本体装置のフレームから外して交換することができる。また、フレームの一方側部には切欠きが設けられ、他方側部には孔が設けれ、前記ユニットはこれらによってフレームに位置決めされるので、書込みヘッドを感光体ドラムに対して確実に位置決めすることができる。
【０１１７】
また本発明によれば、フレームの一方側部に設けられる切欠きに支持軸の一方側を当接し、フレームの他方側に設けられる孔に支持軸の他方側を挿通することで、書込みヘッドを感光体ドラムに対して確実に位置決めすることができる。
【０１１８】
また本発明によれば、書込みヘッド調整装置の枠部材の一端部はフレームの一方側部に対して回動可能に設けられ、枠部材の他端部はフレームの他方側部に対して固定される。調整手段は枠部材の一方端部に配置され、支持軸を中心に枠部材をねじり回転させることによって、枠部材に保持される書込みヘッドの感光体ドラムに対する走査傾きを調整することができる。
【図面の簡単な説明】
【図１】本発明の実施の一形態の画像形成装置であるディジタルカラー複写機１の構成を概略的に示す断面図である。
【図２】画像形成部２１０の画像形成ステーションＰの構成を拡大して示す断面図である。
【図３】ＬＥＤヘッド２２７とこのＬＥＤヘッド２２７を保持する書込みヘッド調整装置３とによって構成される書込みユニットの斜視図である。
【図４】書込みユニットの正面断面図である。
【図５】（ａ）は書込みユニットの一端部を拡大して示す正面断面図であり、（ｂ）は書込みユニットの他端部を拡大して示す正面断面図である。
【図６】（ａ）は図４の切断面線Ａ−Ａから見た断面図であり、（ｂ）は図４の切断面線Ｂ−Ｂから見た断面図である。
【図７】（ａ）は枠部材６の第１係止部２５ａを示す部分底面図であり、（ｂ）は枠部材６の第２係止部２５ｂを示す部分底面図である。
【図８】第２移動部材５ｂと第２当接部材７ｂとの当接部を拡大して示す断面図である。
【図９】第１移動部材５ａおよび第１当接部材７ａに働く力を示す正面図である。
【図１０】間隔調整ネジ３０をＸ軸方向に進退させたときに移動する第１移動部材５ａに関連して、ＬＥＤヘッド２２７がＹ軸方向に上下移動する状態を示す正面図である。その動作を模式的に示す正面図である。
【図１１】間隔調整ネジ３０をＸ軸方向に進退させたときに移動する第１移動部材５ａに関連して、ＬＥＤヘッド２２７がＹ軸方向に上下移動を模式的に示す正面図である。
【図１２】（ａ）はＬＥＤヘッド２２７と感光体ドラム２２２との間の距離Ｈを狭くする場合の動作を示す正面図であり、ＬＥＤヘッド２２７と感光体ドラム２２２との間の距離Ｈを広くする場合の動作を示す正面図である。
【図１３】第１移動部材５ａの突出片３５を拡大して示す正面断面図である。
【図１４】第１移動部材５ａの突出片３５を拡大して示す側面図である。
【図１５】複写機１のフレームに取り付けられた書込みユニットを示す斜視図である。
【図１６】図１５の切断面線Ｃ−Ｃから見た正面断面図である。
【図１７】（ａ）は図１６の切断面線Ｄ−Ｄから見た断面図であり、（ｂ）は図１６の切断面線Ｅ−Ｅから見た断面図である。
【図１８】本体フレームに取り付けられた書込みユニットを感光体ドラム２２２側から見た平面図である。
【図１９】（ａ）は、本体フレームに取り付けられた書込みユニットを一方側から見た側面図であり、（ｂ）は、本体フレームに取り付けられた書込みユニットを他方側から見た側面図である。
【図２０】走査傾きを調整するときの書込みヘッド調整装置３の動作を示す側面図である。
【図２１】走査傾きを調整するときの書込みヘッド調整装置３の動作を示す平面図である。
【図２２】枠部材６をねじり回転させたときの書込みヘッド調整装置３の動作示す断面図である。
【符号の説明】
１  ディジタルカラー複写機
２  ヘッド支持部材
３  書込みヘッド調整装置
４  支持軸
５  移動部材
６  枠部材
７  当接部材
８  スプリング
９  第１調整手段
１０  第２調整手段
１５  傾斜面
１５ａ  第２の傾斜面
１６  凹部
２５  係止部
３０  間隔調整ネジ
３１，４１  ネジ孔
３５  突出片
３６  開口部
４０  支持板
４２  走査傾き調整ネジ
４５  第１本体フレーム
４６  切欠き
５０  第２本体フレーム
５１  孔
２２２  感光体ドラム
２２７  ＬＥＤヘッド
【図１】
0003984040.tif 000002
【図２】
0003984040.tif 000003
【図３】
0003984040.tif 000004
【図４】
0003984040.tif 000005
【図５】
0003984040.tif 000006
【図６】
0003984040.tif 000007
【図７】
0003984040.tif 000008
【図８】
0003984040.tif 000009
【図９】
0003984040.tif 000010
【図１０】
0003984040.tif 000011
【図１１】
0003984040.tif 000012
【図１２】
0003984040.tif 000013
【図１３】
0003984040.tif 000014
【図１４】
0003984040.tif 000015
【図１５】
0003984040.tif 000016
【図１６】
0003984040.tif 000017
【図１７】
0003984040.tif 000018
【図１８】
0003984040.tif 000019
【図１９】
0003984040.tif 000020
【図２０】
0003984040.tif 000021
【図２１】
0003984040.tif 000022
【図２２】
0003984040.tif 000023